(57)【要約】      （修正有）【課題】集積部に紙葉類が集積される際には係止部を倒しにくくするとともに、集積部から紙葉類の束を取り出すときには係止部を倒しやすくして集積部から紙葉類の束を容易に抜き取ることができる紙葉類集積装置を提供する。【解決手段】紙葉類集積装置（整理一時保留部）は、紙葉類（紙幣）が集積される集積部（集積ステージ１６２）と、集積部に送られた紙葉類を受け止めるための係止部（各ストッパ１６４）とを備えている。係止部は、集積部からの紙葉類の取り出し方向と逆方向に常時付勢されており、当該係止部への付勢力が変動可能となっている。【選択図】図６
2014164349.tif 000002
【特許請求の範囲】
【請求項１】
紙葉類が集積される集積部と、
前記集積部に送られた紙葉類を受け止めるための係止部であって、前記係止部は、前記集積部からの紙葉類の取り出し方向と逆方向に常時付勢されており、前記係止部への付勢力が変動可能となっている、係止部と、
を備えた、紙葉類集積装置。
【請求項２】
前記集積部は移動可能となっており、前記係止部への付勢力は前記集積部の位置に基づいて定まるようになっている、請求項１記載の紙葉類集積装置。
【請求項３】
前記集積部は、当該集積部に紙葉類が集積される集積位置、および前記集積部から紙葉類が取り出される取り出し位置にそれぞれ少なくとも位置するようになっており、前記集積部が前記集積位置にあるときの前記係止部への付勢力は、前記集積部が前記取り出し位置にあるときの前記係止部への付勢力よりも大きくなっている、請求項２記載の紙葉類集積装置。
【請求項４】
前記係止部への付勢力を調整するための付勢力調整部が前記集積部と前記係止部との間に設けられており、
前記付勢力調整部は、前記集積部の位置に基づいて前記係止部への付勢力を定めるようになっている、請求項２または３記載の紙葉類集積装置。
【発明の詳細な説明】
【技術分野】
【０００１】
本発明は、紙幣等の紙葉類が集積される紙葉類集積装置に関し、とりわけ、集積部に送られた紙葉類が係止部により受け止められるような紙葉類集積装置に関する。
【背景技術】
【０００２】
紙幣等の紙葉類の処理を行う紙葉類処理機において、機体内に投入された紙葉類が集積される紙葉類集積装置が内部に配設されている。このような紙葉類集積装置では、搬送部から集積ステージ上に１枚ずつ送られた紙葉類が積層状態で集積されるようになっている。また、従来では、例えば特許文献１、２等に開示されるように、集積ステージ上に送られた紙葉類を受け止めるためのストッパが紙葉類集積装置に設置されている。具体的に説明すると、特許文献１には、一時集積部１５にステージ３１が設けられているとともに、振分搬送路１６からステージ３１上に送られた紙幣Ｐはシャッタ３５により受け止められ、ステージ３１上に１００枚の紙幣Ｐが集積されたときにシャッタ３５が開作動することが開示されている。また、特許文献２には、収納部１００にステージ３が設けられているとともに、この収納部１００に送られた紙葉類４はストッパ１０３により受け止められ、当該ストッパ１０３は、スプリング１０４によって、操作者が手動でストッパ１０３を倒してステージ３上から紙葉類４を取り出す方向と逆方向（すなわち、特許文献２の図１における左方向）に付勢されていることが開示されている。
【先行技術文献】
【特許文献】
【０００３】
【特許文献１】特開２００８−２５０９８２号公報
【特許文献２】特許第３０６０１５１号
【発明の概要】
【発明が解決しようとする課題】
【０００４】
紙葉類集積装置においてステージ上に紙葉類が集積される際には、搬送部等からステージ上に送られる紙葉類がストッパに当たることによってこのストッパが倒れてしまうことを防止するためにも、ストッパに対する付勢力が大きいことが好ましいといえる。一方、ステージ上から紙葉類の束を取り出す際には、ストッパが邪魔にならないようにストッパに対する付勢力を小さくし、紙葉類の束の取り出しをスムーズに行うようにすることが求められている。これに対し、従来の紙葉類集積装置では、集積ステージ上に送られた紙葉類を受け止めるためのストッパへの付勢力を変えたものはなかった。具体的には、特許文献１に開示される紙葉類集積装置では、シャッタ３５は、ステージ３１上に１００枚の紙幣Ｐが集積されたときに開作動して把持部２１の挿入を受け入れ、紙幣Ｐが束のまま引き抜かれた後に閉作動して短手整位板として機能するよう、開閉可能に構成されており、シャッタ３５は付勢されたものではない。また、特許文献２に開示される紙葉類集積装置では、ストッパ１０３は、スプリング１０４によって、操作者が手動でストッパ１０３を倒してステージ３上から紙葉類４を取り出す方向と逆方向に付勢されているが、このストッパ１０３への付勢力は一定であり変動しないようになっている。
【０００５】
本発明は、このような点を考慮してなされたものであり、集積部に紙葉類が集積される際には係止部を倒しにくくするとともに、集積部から紙葉類の束を取り出すときには係止部を倒しやすくして集積部から紙葉類の束を容易に抜き取ることができる紙葉類集積装置を提供することを目的とする。
【課題を解決するための手段】
【０００６】
本発明の紙葉類集積装置は、紙葉類が集積される集積部と、前記集積部に送られた紙葉類を受け止めるための係止部であって、前記係止部は、前記集積部からの紙葉類の取り出し方向と逆方向に常時付勢されており、前記係止部への付勢力が変動可能となっている、係止部と、を備えたことを特徴とする。
【０００７】
このような紙葉類集積装置によれば、集積部に送られた紙葉類を受け止めるための係止部は、集積部からの紙葉類の取り出し方向と逆方向に常時付勢されており、この係止部への付勢力が変動可能となっているため、集積部に紙葉類が集積される際には係止部を倒しにくくするとともに、集積部から紙葉類の束を取り出すときには係止部を倒しやすくして集積部から紙葉類の束を容易に抜き取ることができる。
【０００８】
本発明の紙葉類集積装置においては、前記集積部は移動可能となっており、前記係止部への付勢力は前記集積部の位置に基づいて定まるようになっていてもよい。
【０００９】
この際に、前記集積部は、当該集積部に紙葉類が集積される集積位置、および前記集積部から紙葉類が取り出される取り出し位置にそれぞれ少なくとも位置するようになっており、前記集積部が前記集積位置にあるときの前記係止部への付勢力は、前記集積部が前記取り出し位置にあるときの前記係止部への付勢力よりも大きくなっていてもよい。
【００１０】
また、本発明の紙葉類集積装置においては、前記係止部への付勢力を調整するための付勢力調整部が前記集積部と前記係止部との間に設けられており、前記付勢力調整部は、前記集積部の位置に基づいて前記係止部への付勢力を定めるようになっていてもよい。
【発明の効果】
【００１１】
本発明の紙葉類集積装置によれば、集積部に紙葉類が集積される際には係止部を倒しにくくするとともに、集積部から紙葉類の束を取り出すときには係止部を倒しやすくして集積部から紙葉類の束を容易に抜き取ることができる。
【図面の簡単な説明】
【００１２】
【図１】本発明の実施の形態による紙幣処理機の構成の概略を示す概略構成図であって、（ａ）は、紙幣収納ユニットの構成を示す構成図であり、（ｂ）は、紙幣帯封ユニットの構成を示す構成図である。
【図２】図１に示す紙幣処理機における整理一時保留部の構成を示す斜視図である。
【図３】図２に示す整理一時保留部の構成を示す側面図である。
【図４】図３に示す整理一時保留部を右方向から見たときの正面図である。
【図５】図２に示す整理一時保留部を上方向から見たときの上面図である。
【図６】図２に示す整理一時保留部における、ストッパへの付勢力を調整するための付勢力調整部の構成を示す斜視図であり、（ａ）は、集積ステージが紙幣集積位置にあるときの状態を示し、（ｂ）は、集積ステージが紙幣取り出し位置にあるときの状態を示している。
【図７】図６に示す付勢力調整部の構成を示す側面図であり、（ａ）は、集積ステージが紙幣集積位置にあるときの状態を示し、（ｂ）は、集積ステージが紙幣取り出し位置にあるときの状態を示し、（ｃ）は、紙幣が集積ステージに集積されているときにストッパを強制的に開くときの状態を示している。
【図８】変形例に係る付勢力調整部の構成を示す側面図であり、（ａ）は、集積ステージが紙幣集積位置にあるときの状態を示し、（ｂ）は、集積ステージが紙幣取り出し位置にあるときの状態を示し、（ｃ）は、紙幣が集積ステージに集積されているときにストッパを強制的に開くときの状態を示している。
【図９】更なる変形例に係る付勢力調整部の構成を示す側面図であり、（ａ）は、集積ステージが紙幣集積位置にあるときの状態を示し、（ｂ）は、集積ステージが紙幣取り出し位置にあるときの状態を示している。
【図１０】図１に示す紙幣処理機の紙幣収納ユニットにおける、整理一時保留部の近傍に設けられた半券検知センサの構成を示す構成図である。
【発明を実施するための形態】
【００１３】
以下、図面を参照して本発明の実施の形態について説明する。図１乃至図７は、本実施の形態に係る紙幣処理機およびこの紙幣処理機に設けられた整理一時保留部を示す図である。このうち、図１は、本実施の形態による紙幣処理機の構成の概略を示す概略構成図であり、図２は、図１に示す紙幣処理機における整理一時保留部の構成を示す斜視図である。また、図３は、図２に示す整理一時保留部の構成を示す側面図であり、図４は、図３に示す整理一時保留部を右方向から見たときの正面図であり、図５は、図２に示す整理一時保留部を上方向から見たときの上面図である。また、図６は、図２に示す整理一時保留部における、ストッパへの付勢力を調整するための付勢力調整部の構成を示す斜視図であり、図７は、図６に示す付勢力調整部の構成を示す側面図である。
【００１４】
図１に示すように、本実施の形態による紙幣処理機は、図１（ａ）に示すような紙幣収納ユニット１００と、図１（ｂ）に示すような紙幣帯封ユニット２００とから構成されている。具体的には、紙幣収納ユニット１００および紙幣帯封ユニット２００はそれぞれ略直方体形状のものとなっており、これらの紙幣収納ユニット１００および紙幣帯封ユニット２００が左右に並ぶよう配置されることにより紙幣処理機が構成されている。紙幣収納ユニット１００および紙幣帯封ユニット２００の各構成要素について以下に説明する。
【００１５】
図１（ａ）に示すように、紙幣収納ユニット１００には、機体外から機体内に紙幣を投入するための紙幣投入部１１０および機体内から機体外にバラ紙幣を投出するためのバラ紙幣投出部１５２がそれぞれ設けられている。紙幣投入部１１０には紙幣繰出部１１２が設けられており、機体外から紙幣投入部１１０に投入された紙幣は紙幣繰出部１１２により１枚ずつ機体内に繰り出されるようになっている。また、紙幣繰出部１１２には入金搬送部１１４が接続されており、紙幣繰出部１１２により機体内に繰り出された紙幣は入金搬送部１１４により１枚ずつ搬送されるようになっている。ここで、入金搬送部１１４には入金識別部１１６が設けられており、入金搬送部１１４により搬送される紙幣は入金識別部１１６によりその金種、真偽、正損、新旧等が識別されるようになっている。また、入金搬送部１１４による紙幣の搬送方向における入金識別部１１６の下流側には表裏反転部１１８が設けられており、入金識別部１１６により識別された紙幣は表裏反転部１１８によりその表裏が整えられるようになっている。具体的には、表裏反転部１１８に送られた紙幣のうち、例えば裏面が上側となっている紙幣のみの表裏が反転されることにより、この表裏反転部１１８から出された紙幣は全て表面（おもてめん）が上側となるようになる。また、入金搬送部１１４には入金リジェクト部１２０が接続されており、入金識別部１１６により正常な紙幣ではないと識別された紙幣、すなわちリジェクト紙幣が入金搬送部１１４から入金リジェクト部１２０に送られるようになっている。入金リジェクト部１２０は紙幣収納ユニット１００の機体外からアクセス可能となっており、操作者はこの入金リジェクト部１２０に集積されたリジェクト紙幣を手動で取り出すことができるようになっている。
【００１６】
また、図１（ａ）に示すように、入金搬送部１１４には１つの一括一時保留部１３０と、複数（例えば４つ）の金種別一時保留部１３２とがそれぞれ接続されている。ここで、１つの一括一時保留部１３０および複数の金種別一時保留部１３２は並列に並ぶよう配設されている。入金搬送部１１４から一括一時保留部１３０や各金種別一時保留部１３２に搬送された紙幣は、これらの一括一時保留部１３０や各金種別一時保留部１３２において積層状態で集積されることにより一時的に保留されるようになっている。なお、一括一時保留部１３０には複数の金種の紙幣が混合状態で一時的に保留されるようになっており、また、各金種別一時保留部１３２にはそれぞれ特定の金種の紙幣が一時的に保留されるようになっている。また、一括一時保留部１３０に対応して１つの一括紙幣収納庫１４０が設けられているとともに、各金種別一時保留部１３２に対応して複数の金種別紙幣収納庫１４２が設けられている。一括紙幣収納庫１４０には、一括一時保留部１３０から送られた紙幣が積層状態で収納されるようになっている。また、各金種別紙幣収納庫１４２には、対応する金種別一時保留部１３２から送られた紙幣が積層状態で収納されるようになっている。なお、一括紙幣収納庫１４０には複数の金種の紙幣が混合状態で収納されるようになっており、また、各金種別紙幣収納庫１４２にはそれぞれ特定の金種の紙幣が収納されるようになっている。また、一括紙幣収納庫１４０および各金種別紙幣収納庫１４２にはそれぞれ紙幣繰出部１４４が設けられており、これらの一括紙幣収納庫１４０および各金種別紙幣収納庫１４２から紙幣が１枚ずつ紙幣繰出部１４４により繰り出されるようになっている。
【００１７】
また、図１（ａ）に示すように、各紙幣繰出部１４４には下部搬送部１４６が接続されており、各紙幣繰出部１４４により一括紙幣収納庫１４０や各金種別紙幣収納庫１４２から繰り出された紙幣は下部搬送部１４６により１枚ずつ搬送されるようになっている。ここで、下部搬送部１４６には出金識別部１４８が接続されており、下部搬送部１４６により搬送される紙幣は出金識別部１４８によりその金種、真偽、正損、新旧等が識別されるようになっている。また、出金識別部１４８には出金搬送部１５０が接続されており、この出金識別部１４８により識別された紙幣は出金搬送部１５０により１枚ずつ搬送されるようになっている。出金搬送部１５０にはバラ紙幣投出部１５２、出金リジェクト部１５４、２つの整理一時保留部１６０がそれぞれ接続されており、出金識別部１４８により識別された紙幣のうち、機体外に投出されるべき紙幣は出金搬送部１５０によりバラ紙幣投出部１５２に送られてこのバラ紙幣投出部１５２に集積されるようになっている。バラ紙幣投出部１５２は紙幣収納ユニット１００の機体外からアクセス可能となっており、操作者はこのバラ紙幣投出部１５２に集積されたバラ紙幣を手動で取り出すことができるようになっている。また、出金識別部１４８により正常な紙幣ではないと識別された紙幣、すなわちリジェクト紙幣は出金搬送部１５０により出金リジェクト部１５４に送られるようになっている。また、出金リジェクト部１５４に集積されたリジェクト紙幣を取り出すにあたり、操作者は紙幣収納ユニット１００の筐体に設けられた扉を開いて出金リジェクト部１５４内のリジェクト紙幣を取り出すようになっている。また、出金識別部１４８により識別された紙幣のうち、紙幣帯封ユニット２００により帯封されるべき紙幣は出金搬送部１５０により各整理一時保留部１６０に送られるようになっている。各整理一時保留部１６０では、出金搬送部１５０から送られた紙幣が積層状態で集積されるようになっている。このような整理一時保留部１６０の構成の詳細については後述する。
【００１８】
図１（ａ）に示すように、入金搬送部１１４や出金搬送部１５０における分岐箇所には分岐部材１７０がそれぞれ設けられており、これらの分岐部材１７０により分岐箇所における紙幣の搬送先が決められるようになっている。また、入金搬送部１１４、下部搬送部１４６、出金搬送部１５０には紙幣の検出を行う紙幣検出センサ１８０が複数設けられている。また、本実施の形態では、出金搬送部１５０における、出金識別部１４８と各整理一時保留部１６０との間には、紙幣厚さ検知センサ１８２および半券検知センサ１８４がそれぞれ設けられている。また、半券検知センサ１８４は、出金搬送部１５０におけるバラ紙幣投出部１５２への入口部分にも設けられている。
【００１９】
紙幣厚さ検知センサ１８２について説明すると、この紙幣厚さ検知センサ１８２が設けられた箇所では、その位置が固定された第１のローラおよび当該第１のローラに対して変位する第２のローラからなる一対のローラの間で紙幣が搬送されるようになっており、紙幣厚さ検知センサ１８２は、第２のローラの変位量を検出するようになっている。そして、一対のローラの間で２枚以上の紙幣が重なった状態で搬送されたときには、紙幣厚さ検知センサ１８２は、２枚以上の紙幣の重なりを検知するようになっている。また、半券検知センサ１８４の構成について図１０を用いて説明する。図１０に示すように、出金搬送部１５０における両端部の案内部材１５０ａの間には、紙幣（図１０において参照符号Ｐで表示）の幅方向に沿って（すなわち、図１０における左右方向に沿って）３つの半券検知センサ１８４が設けられている。各半券検知センサ１８４は、発光素子および受光素子を含む光学センサからなり、各整理一時保留部１６０に送られるべき紙幣が折り畳まれたり切断されたりしておらず正常な状態である場合には、３つの半券検知センサ１８４全てにより紙幣が検知される。一方、各整理一時保留部１６０に送られるべき紙幣が折り畳まれたり切断されたりしてしまい半券の状態となった場合には、３つの半券検知センサ１８４のうち１つまたは２つの半券検知センサ１８４でしか紙幣が検知されず、このことにより半券が通過したことが検知されるようになる。
【００２０】
従来では、紙幣厚さ検知センサ１８２の代わりに透光センサが用いられていたが、このような透光センサでは、３枚以上の紙幣の重なりしか検知することができず、２枚の紙幣の重なりを検知することができないという問題があった。また、従来では、各整理一時保留部１６０の入口部分やバラ紙幣投出部１５２の入口部分に半券検知センサ１８４が設置されていなかった。このような事情により、従来では、各整理一時保留部１６０に集積される紙幣の枚数やバラ紙幣投出部１５２により投出される紙幣の枚数に違算が生じてしまい、後述する紙幣帯封ユニット２００により紙幣の帯封を行う際に所定の枚数（例えば１００枚）ちょうどの紙幣の帯封を行うことができなかったり、各整理一時保留部１６０に正常券以外の半券が集積されたりするおそれがあった。これに対し、本実施の形態では、出金搬送部１５０における、出金識別部１４８と各整理一時保留部１６０との間に、上述したような紙幣厚さ検知センサ１８２および半券検知センサ１８４をそれぞれ設置することにより、紙幣厚さ検知センサ１８２によって２枚の紙幣の重なりを検知することができるため各整理一時保留部１６０に集積される紙幣の枚数に違算が生じてしまうことが防止されるとともに、半券検知センサ１８４により半券を検知することにより各整理一時保留部１６０に正常券のみを集積させることができるようになる。また、バラ紙幣投出部１５２の入口部分に半券検知センサ１８４を設けたことにより、バラ紙幣投出部１５２から半券が投出されることのないようにすることができる。
【００２１】
図１（ｂ）に示すように、紙幣帯封ユニット２００には、整理一時保留部１６０に集積された紙幣の束を取り出すためのアーム部２１０と、アーム部２１０により取り出された紙幣の束を帯封するための帯封部２１２とがそれぞれ設けられている。アーム部２１０は例えば上下一対のアーム（上アームおよび下アーム）から構成されており（図３参照）、整理一時保留部１６０に集積された紙幣の束を上下一対のアームで上下方向から挟むことによってこの整理一時保留部１６０から紙幣の束を取り出すようになっている。アーム部２１０により整理一時保留部１６０から取り出された紙幣の束は帯封部２１２により帯封されるようになっている。具体的には、帯封部２１２の近傍にはテープセット部２１４が設けられており、このテープセット部２１４から帯封紙が帯封部２１２に送られることによって、帯封部２１２において例えば１００枚の紙幣の束が帯封紙により帯封されるようになっている。帯封部２１２には帯封紙幣搬送部２１６が接続されており、帯封部２１２により帯封された帯封紙幣は帯封紙幣搬送部２１６により帯封紙幣投出部２１８に搬送されるようになっている。帯封紙幣投出部２１８は紙幣帯封ユニット２００の機体外からアクセス可能となっており、操作者はこの帯封紙幣投出部２１８に送られた帯封紙幣を手動で取り出すことができるようになっている。
【００２２】
また、図１（ｂ）に示すように、帯封紙幣投出部２１８には帯封紙幣収納出金部２２０やリフト部２２４が接続されている。帯封紙幣収納出金部２２０には帯封紙幣判別部２２２が設けられており、この帯封紙幣判別部２２２は、帯封紙幣投出部２１８から帯封紙幣収納出金部２２０に送られた帯封紙幣の金種等の判別を行うようになっている。また、帯封紙幣収納出金部２２０には複数の帯封紙幣収納カセット２３０が接続されており、帯封部２１２により帯封された帯封紙幣のうち、帯封紙幣投出部２１８により機体外へ投出されない帯封紙幣は帯封紙幣収納出金部２２０により各帯封紙幣収納カセット２３０に金種別に収納されるようになっている。また、各帯封紙幣収納カセット２３０にはカセット駆動部２３２が設けられており、これらのカセット駆動部２３２により、各帯封紙幣収納カセット２３０に収納された帯封紙幣が帯封紙幣収納出金部２２０に戻されるようになっている。各帯封紙幣収納カセット２３０から帯封紙幣収納出金部２２０に戻された帯封紙幣は帯封紙幣投出部２１８に送られ、この帯封紙幣投出部２１８から機体外に投出される。また、帯封紙幣搬送部２１６から帯封紙幣投出部２１８に送られた帯封紙幣はリフト部２２４により図１（ｂ）における上下方向に搬送可能となっている。ここで、リフト部２２４の下部にも回収用の開口が設けられており、リフト部２２４により下部に搬送された帯封紙幣はこの開口から機体外に投出可能となっている。
【００２３】
次に、紙幣収納ユニット１００に設けられた整理一時保留部１６０の構成の詳細について図２乃至図７を用いて説明する。
【００２４】
図２は、紙幣収納ユニット１００に設けられた整理一時保留部１６０の構成を示す斜視図である。また、図３は、図２に示す整理一時保留部１６０の構成を示す側面図であり、図４は、図３に示す整理一時保留部１６０を右方向から見たときの正面図であり、図５は、図２に示す整理一時保留部１６０を上方向から見たときの上面図である（なお、図５において後述する札叩き用羽根車１６６の表示は省略している）。また、図３において、出金搬送部１５０から整理一時保留部１６０に送られた紙幣を参照符号Ｐで示している。
【００２５】
図２乃至図５に示すように、整理一時保留部１６０には、出金搬送部１５０から送られた紙幣が積層状態で集積される集積ステージ１６２と、出金搬送部１５０から集積ステージ１６２に送られた紙幣を受け止めるための複数のストッパ（係止部）１６４とがそれぞれ設けられている。ここで、各ストッパ１６４は一本の軸１６４ａにより支持されるようになっている。この軸１６４ａは回転可能となっており、このことにより各ストッパ１６４は軸１６４ａを中心として揺動するようになっている。また、各ストッパ１６４の上方には第１の案内部材１６８が鉛直方向に延びるよう設けられているとともに、集積ステージ１６２を挟んで各ストッパ１６４や第１の案内部材１６８に対向するよう第２の案内部材１６９が鉛直方向に延びるよう設けられており、出金搬送部１５０から整理一時保留部１６０に送られた紙幣は、第１の案内部材１６８と第２の案内部材１６９との間で集積ステージ１６２上に積層状態で集積されるようになっている。また、図２および図３に示すように、第２の案内部材１６９の上部には、軸１６６ａを中心として図３における矢印方向に回転する、例えばゴム等の弾性部材からなる札叩き用羽根車１６６が設けられており、出金搬送部１５０から整理一時保留部１６０に送られる紙幣の後端部がこの札叩き用羽根車１６６により叩かれることによって集積ステージ１６２上に集積される紙幣が整列されるようになっている。
【００２６】
図５に示すように、集積ステージ１６２における第１の案内部材１６８側の端縁は櫛歯形状となっている。また、図３に示すように、集積ステージ１６２上に集積された紙幣の束は、アーム部２１０によりこの集積ステージ１６２上から取り出されるようになっている。具体的には、アーム部２１０は、図３における右方の領域から左方向に接近し、上下一対のアームが第１の案内部材１６８や各ストッパ１６４を超えて紙幣の集積領域に進入する。この際に、アーム部２１０の上アームおよび下アームの間に、集積ステージ１６２およびこの集積ステージ１６２上の紙幣の束が位置するような状態となる。そして、アーム部２１０の下アームが集積ステージ１６２の櫛歯形状のスペースを通過して上方に移動するとともに上アームが下方に移動することによって集積ステージ１６２上の紙幣の束が上アームと下アームとの間で挟持され、その後、アーム部２１０が図３における右方向に移動することにより集積ステージ１６２から紙幣の束が取り出される。なお、アーム部２１０によって集積ステージ１６２から紙幣の束を取り出す際に、この紙幣の束によって押されることによりストッパ１６４は軸１６４ａを中心として図３における時計回りの方向に傾くようになるが、このことについては後に詳述する。
【００２７】
また、図２および図５に示すように、整理一時保留部１６０には、集積ステージ１６２上に集積される紙幣の束の側面を叩いてこの紙幣の束の側面を揃えるための紙幣揃え部１６３が設置されている。この紙幣揃え部１６３には、図５における実線の位置と二点鎖線の位置との間で揺動自在のアーム１６３ａが設けられており、このアーム１６３ａの先端部分にはゴム等の弾性部材１６３ｂが取り付けられている。このような弾性部材１６３ｂが、集積ステージ１６２上に集積される紙幣の束の側面に接触することにより、この紙幣の束が傷つけられることが防止される。なお、紙幣揃え部１６３においてアーム１６３ａの先端部分にゴム等の弾性部材１６３ｂを取り付けた場合には、集積ステージ１６２上に集積される紙幣の束の側面と弾性部材１６３ｂとの間に発生する摩擦力が大きくなるため、この紙幣揃え部１６３のアーム１６３ａにより紙幣の束に対して図５における上方向に加えられる力が大きくなり、各ストッパ１６４が倒れやすくなるおそれがある。しかしながら、本実施の形態では、集積ステージ１６２に紙幣が集積される際の各ストッパ１６４への付勢力を大きくすることによりこのようなトラブルの発生を防止している。このことについては後に詳述する。
【００２８】
本実施の形態では、第１の案内部材１６８や第２の案内部材１６９はその位置が固定されているのに対し、集積ステージ１６２は上下方向に移動可能となっている。具体的には、集積ステージ１６２は、図示しないステージ駆動部により図３における上下方向に移動させられるようになっている。また、図３に示すように、整理一時保留部１６０における紙幣が集積されるべき領域には光学センサ等の紙幣検知センサ１６７が位置固定で設けられており、出金搬送部１５０から整理一時保留部１６０に送られた紙幣が集積ステージ１６２に集積され、この集積ステージ１６２上の紙幣が紙幣検知センサ１６７により検知されると、ステージ駆動部は集積ステージ１６２を下方に移動させ、紙幣の集積領域を確保するようになっている。本実施の形態では、集積ステージ１６２は、出金搬送部１５０から整理一時保留部１６０に送られた紙幣が集積ステージ１６２に集積される紙幣集積位置と、この集積位置の下方における、アーム部２１０により集積ステージ１６２から紙幣が取り出される紙幣取り出し位置とにそれぞれ少なくとも位置するようになっている。
【００２９】
また、各ストッパ１６４は、集積ステージ１６２からの紙幣の取り出し方向（図３における右方向）と逆方向に常時付勢されるようになっている。具体的には、前述したように各ストッパ１６４は軸１６４ａにより支持されているが、図２に示すようにこの軸１６４ａにはバネ掛け部１６４ｅが取り付けられており、整理一時保留部１６０におけるその位置が固定された部材（図示せず）と、バネ掛け部１６４ｅとの間でバネが引っ掛けられることにより、軸１６４ａには図３における反時計回りの方向に力が常時加えられるようになっている。また、各ストッパ１６４には規制部材（図示せず）が設けられており、この規制部材により各ストッパ１６４は図３に示すような軸１６４ａから真上に延びる状態からこれ以上図３における反時計回りの方向に回転しないようになっている。
【００３０】
本実施の形態では、各ストッパ１６４への付勢力は変動可能となっている。より具体的には、各ストッパ１６４への付勢力は、集積ステージ１６２の位置に基づいて定まるようになっている。更に詳しく説明すると、集積ステージ１６２は、出金搬送部１５０から整理一時保留部１６０に送られた紙幣が集積ステージ１６２に集積される紙幣集積位置と、アーム部２１０により集積ステージ１６２から紙幣が取り出される紙幣取り出し位置とにそれぞれ少なくとも位置するようになっているが、集積ステージ１６２が紙幣集積位置にあるときの各ストッパ１６４への付勢力は、集積ステージ１６２が紙幣取り出し位置にあるときの各ストッパ１６４への付勢力よりも大きくなっている。このような技術的特徴の原理について以下に説明する。
【００３１】
図６および図７に示すように、各ストッパ１６４への付勢力を調整するための付勢力調整部１６５が集積ステージ１６２と各ストッパ１６４との間に設けられている。付勢力調整部１６５は、集積ステージ１６２の位置に基づいて各ストッパ１６４への付勢力を調整するようになっている。図６は、このような付勢力調整部１６５の構成を示す斜視図であり、図７は、図６に示す付勢力調整部１６５の構成を示す側面図である。なお、図６（ａ）は、集積ステージ１６２が紙幣集積位置にあるときの状態を示し、図６（ｂ）は、集積ステージ１６２が紙幣取り出し位置にあるときの状態を示している。また、図７（ａ）は、集積ステージ１６２が紙幣集積位置にあるときの状態を示し、図７（ｂ）は、集積ステージ１６２が紙幣取り出し位置にあるときの状態を示し、図７（ｃ）は、紙幣が集積ステージ１６２に集積されているときに各ストッパ１６４を強制的に開くときの状態を示している。
【００３２】
図６および図７に示すように、付勢力調整部１６５は、第１の回転部材１６５ｂおよび第２の回転部材１６５ｃを有しており、これらの第１の回転部材１６５ｂおよび第２の回転部材１６５ｃはそれぞれ軸１６５ａにより軸支されている。なお、第１の回転部材１６５ｂおよび第２の回転部材１６５ｃはそれぞれ、図示しないバネ等により、軸１６５ａを中心として互いに離れる方向に各々付勢されている。また、図示しない規制部材により、軸１６５ａを中心とした第１の回転部材１６５ｂおよび第２の回転部材１６５ｃの間の角度が９０°よりも大きくならないように、これらの第１の回転部材１６５ｂおよび第２の回転部材１６５ｃの動きが規制されるようになっている。また、第１の回転部材１６５ｂの先端部分にはローラ１６５ｄが回転自在に設けられており、集積ステージ１６２には、当該集積ステージ１６２が紙幣集積位置にあるときにこのローラ１６５ｄが接触するような案内部材１６２ａが設けられている。すなわち、図６（ａ）や図７（ａ）に示すような、集積ステージ１６２が紙幣集積位置にあるような状態では、第１の回転部材１６５ｂの先端部分に設けられたローラ１６５ｄが集積ステージ１６２の案内部材１６２ａに当接することによりこの第１の回転部材１６５ｂが軸１６５ａを中心としてこれ以上図７（ａ）における反時計回りの方向に回転しないようになっている。
【００３３】
また、第２の回転部材１６５ｃの先端部分には棒状部材１６５ｅが設けられている。ここで、各ストッパ１６４を支持する軸１６４ａには略円板形状のカム部材１６４ｂが取り付けられており、このカム部材１６４ｂの外周面には引っ掛け部１６４ｃが形成されている。そして、図６（ａ）や図７（ａ）に示すような、集積ステージ１６２が紙幣集積位置にあるような状態では、第２の回転部材１６５ｃの先端部分に設けられた棒状部材１６５ｅは、カム部材１６４ｂの引っ掛け部１６４ｃに引っ掛けられるようになっている。このことにより、カム部材１６４ｂやこのカム部材１６４ｂを支持する軸１６４ａを図７（ａ）における時計回りの方向に回転させる場合には、棒状部材１６５ｅを引っ掛け部１６４ｃから外すよう力を加える必要がある。
【００３４】
このように、図６（ａ）や図７（ａ）に示すように、集積ステージ１６２が紙幣集積位置にあるときには、第１の回転部材１６５ｂの先端部分に設けられたローラ１６５ｄは集積ステージ１６２の案内部材１６２ａに当接した状態となり、また、第２の回転部材１６５ｃの先端部分に設けられた棒状部材１６５ｅは、カム部材１６４ｂの引っ掛け部１６４ｃに引っ掛けられた状態となる。このため、集積ステージ１６２が紙幣集積位置にあるときに、整理一時保留部１６０において紙幣の集積不良等の異常が発生し、各ストッパ１６４を強制的に図３における右方向に倒して開かなければならない状態となったときには、図７（ｃ）に示すように、操作者は手動で軸１６４ａを中心として各ストッパ１６４を図７（ｃ）における時計回りの方向に回転させる。この際に、付勢力調整部１６５の第１の回転部材１６５ｂおよび第２の回転部材１６５ｃはそれぞれ軸１６５ａを中心として互いに離れる方向に各々付勢されており、しかもローラ１６５ｄが案内部材１６２ａに当接していることにより軸１６５ａを中心として第１の回転部材１６５ｂをこれ以上図７（ｃ）における反時計回りの方向に回転させることができないため、付勢力調整部１６５の棒状部材１６５ｅをカム部材１６４ｂの引っ掛け部１６４ｃから外すためには大きな力が必要となる。
【００３５】
一方、アーム部２１０により集積ステージ１６２上の紙幣の束を取り出す際には、集積ステージ１６２は紙幣集積位置から紙幣取り出し位置まで下降するが、図７（ｂ）に示すように、集積ステージ１６２が紙幣取り出し位置にあるときには、この集積ステージ１６２に設けられた案内部材１６２ａも下方に移動していることにより、第１の回転部材１６５ｂの先端部分に設けられたローラ１６５ｄは集積ステージ１６２の案内部材１６２ａの表面から外れるようになる。このため、軸１６５ａを中心として第１の回転部材１６５ｂを図７（ｂ）の反時計回りの方向に回転させることが可能となる。ここで、アーム部２１０により集積ステージ１６２上の紙幣の束を取り出す際に、アーム部２１０の上下一対のアームにより挟持された紙幣の束が各ストッパ１６４に当たることによりこれらのストッパ１６４が軸１６４ａを中心として図７（ｂ）における時計回りの方向に回転するようになる。この際に、軸１６５ａを中心として第１の回転部材１６５ｂを図７（ｂ）の反時計回りの方向に回転させることが可能となるため、ローラ１６５ｄが案内部材１６２ａに当接しており第１の回転部材１６５ｂをこれ以上回転させることができない場合と比較して、付勢力調整部１６５の棒状部材１６５ｅをカム部材１６４ｂの引っ掛け部１６４ｃから外すために必要な力が小さくなる。このように、図７（ｂ）に示すような、集積ステージ１６２が紙幣取り出し位置にあるときの各ストッパ１６４への付勢力は、図７（ａ）に示すような、集積ステージ１６２が紙幣集積位置にあるときの各ストッパ１６４への付勢力よりも小さくなる。
【００３６】
以上のように本実施の形態の整理一時保留部１６０によれば、集積ステージ１６２に送られた紙幣を受け止めるための各ストッパ１６４は、集積ステージ１６２からの紙幣の取り出し方向と逆方向に常時付勢されており、各ストッパ１６４への付勢力が変動可能となっている。このことにより、集積ステージ１６２上に紙幣が集積される際には各ストッパ１６４を倒しにくくするとともに、アーム部２１０により集積ステージ１６２から紙幣の束を取り出すときには各ストッパ１６４を倒しやすくして整理一時保留部１６０から紙幣の束を容易に抜き取ることができるようになる。
【００３７】
また、本実施の形態の整理一時保留部１６０においては、前述したように、集積ステージ１６２は移動可能となっており、各ストッパ１６４への付勢力は集積ステージ１６２の位置に基づいて定まるようになっている。より詳細には、集積ステージ１６２は、当該集積ステージ１６２に紙幣が集積される紙幣集積位置、および集積ステージ１６２から紙幣が取り出される紙幣取り出し位置にそれぞれ少なくとも位置するようになっており、集積ステージ１６２が紙幣集積位置にあるときの各ストッパ１６４への付勢力は、集積ステージ１６２が紙幣取り出し位置にあるときの各ストッパ１６４への付勢力よりも大きくなっている。
【００３８】
また、本実施の形態の整理一時保留部１６０においては、各ストッパ１６４への付勢力を調整するための付勢力調整部１６５が集積ステージ１６２と各ストッパ１６４との間に設けられており、付勢力調整部１６５は、集積ステージ１６２の位置に基づいて各ストッパ１６４への付勢力を定めるようになっている、
【００３９】
なお、本実施の形態による整理一時保留部１６０は、上述したような態様に限定されることはなく、様々な変更を加えることができる。
【００４０】
例えば、各ストッパ１６４への付勢力を調整するための付勢力調整部は、図６および図７に示すような構成のものに限定されることはない。図８に、変形例に係る付勢力調整部１６５ｐの構成を示す。なお、図８（ａ）は、集積ステージ１６２が紙幣集積位置にあるときの状態を示し、図８（ｂ）は、集積ステージ１６２が紙幣取り出し位置にあるときの状態を示し、図８（ｃ）は、紙幣が集積ステージ１６２に集積されているときに各ストッパ１６４を強制的に開くときの状態を示している。また、図８に示すような付勢力調整部１６５ｐの構成の説明において、図６および図７に示すような付勢力調整部１６５と同じ構成要素については同一の符号を付してその説明を省略する。
【００４１】
図８に示すように、付勢力調整部１６５ｐは第１の回転部材１６５ｂを有しており、この第１の回転部材１６５ｂは軸１６５ａにより軸支されるようになっているが、図６および図７の付勢力調整部１６５における第２の回転部材１６５ｃは、変形例に係る付勢力調整部１６５ｐに設けられていない。また、第１の回転部材１６５ｂの先端部分にはローラ１６５ｄが回転自在に設けられており、集積ステージ１６２には、当該集積ステージ１６２が紙幣集積位置にあるときにこのローラ１６５ｄが接触するような案内部材１６２ａが設けられている。すなわち、図８（ａ）に示すような、集積ステージ１６２が紙幣集積位置にあるような状態では、第１の回転部材１６５ｂの先端部分に設けられたローラ１６５ｄが集積ステージ１６２の案内部材１６２ａに当接することによりこの第１の回転部材１６５ｂが軸１６５ａを中心としてこれ以上図８（ａ）における反時計回りの方向に回転しないようになっている。また、第１の回転部材１６５ｂにおけるストッパ１６４の軸１６４ａ側の側面には、ネジ１６５ｇ等により板バネ１６５ｆが取り付けられている。この板バネ１６５ｆに何ら力が加えられていないときには、当該板バネ１６５ｆは図８（ａ）における鎖線位置に位置するようになるが、後述するカム部材１６４ｂの板バネ受け部１６４ｄに板バネ１６５ｆが接触することにより、この板バネ１６５ｆに力が加えられて当該板バネ１６５ｆは変形し、図８（ａ）における実線位置に位置するようになる。
【００４２】
図８に示す例では、各ストッパ１６４を支持する軸１６４ａには略円板形状のカム部材１６４ｂが取り付けられており、このカム部材１６４ｂの外周面には板バネ受け部１６４ｄが形成されている。そして、図８（ａ）に示すような、集積ステージ１６２が紙幣集積位置にあるような状態では、第１の回転部材１６５ｂに取り付けられた板バネ１６５ｆは、元の状態から変形して、カム部材１６４ｂの板バネ受け部１６４ｄに当接するようになる。このことにより、カム部材１６４ｂやこのカム部材１６４ｂを支持する軸１６４ａを図８（ａ）における時計回りの方向に回転させる場合には、板バネ１６５ｆを板バネ受け部１６４ｄから外すような力を加える必要がある。
【００４３】
このように、図８（ａ）に示すような、集積ステージ１６２が紙幣集積位置にあるときには、第１の回転部材１６５ｂの先端部分に設けられたローラ１６５ｄは集積ステージ１６２の案内部材１６２ａに当接した状態となり、また、第１の回転部材１６５ｂに取り付けられた板バネ１６５ｆは、元の状態から変形してカム部材１６４ｂの板バネ受け部１６４ｄに当接した状態となる。このため、集積ステージ１６２が紙幣集積位置にあるときに、整理一時保留部１６０において紙幣の集積不良等の問題が発生し、各ストッパ１６４を強制的に図３における右方向に倒して開かなければならない状態となったときには、図８（ｃ）に示すように、操作者は手動で軸１６４ａを中心として各ストッパ１６４を図８（ｃ）における時計回りの方向に回転させる。この際に、ローラ１６５ｄが案内部材１６２ａに当接していることにより軸１６５ａを中心として第１の回転部材１６５ｂをこれ以上図８（ｃ）の反時計回りの方向に回転させることができないため、付勢力調整部１６５ｐの板バネ１６５ｆをカム部材１６４ｂの板バネ受け部１６４ｄから外すためには大きな力が必要となる。具体的には、板バネ１６５ｆを更に変形させて図８（ｃ）における実線位置まで移動させる必要があり、板バネ１６５ｆに何ら力が加えられていないときの鎖線位置からの距離がより大きくなるため、各ストッパ１６４の軸１６４ａを回転させるにあたり大きな力が必要となる。
【００４４】
一方、アーム部２１０により集積ステージ１６２上の紙幣の束を取り出す際には、集積ステージ１６２は紙幣集積位置から紙幣取り出し位置まで下降するが、図８（ｂ）に示すように、集積ステージ１６２が紙幣取り出し位置にあるときには、この集積ステージ１６２に設けられた案内部材１６２ａも下方に移動していることにより、第１の回転部材１６５ｂの先端部分に設けられたローラ１６５ｄは集積ステージ１６２の案内部材１６２ａの表面から外れるようになる。このため、軸１６５ａを中心として第１の回転部材１６５ｂを図８（ｂ）の反時計回りの方向に回転させることが可能となる。ここで、アーム部２１０により集積ステージ１６２上の紙幣の束を取り出す際に、アーム部２１０の上下一対のアームにより挟持された紙幣が各ストッパ１６４に当たることによりこれらのストッパ１６４が軸１６４ａを中心として図８（ｂ）における時計回りの方向に回転するようになる。この際に、軸１６５ａを中心として第１の回転部材１６５ｂを図８（ｂ）の反時計回りの方向に回転させることが可能となるため、ローラ１６５ｄが案内部材１６２ａに当接しており第１の回転部材１６５ｂをこれ以上回転させることができない場合と比較して、付勢力調整部１６５ｐの板バネ１６５ｆをカム部材１６４ｂの板バネ受け部１６４ｄから外すために必要な力が小さくなる。このように、図８（ｂ）に示すような、集積ステージ１６２が紙幣取り出し位置にあるときの各ストッパ１６４への付勢力は、図８（ａ）に示すような、集積ステージ１６２が紙幣集積位置にあるときの各ストッパ１６４への付勢力よりも小さくなる。
【００４５】
また、集積ステージ１６２と各ストッパ１６４との間に、図９に示すような付勢力調整部１６５ｑを設けてもよい。図９に示すような例では、集積ステージ１６２上に紙幣を集積させるときには付勢力調整部１６５ｑによる各ストッパ１６４への付勢力を無限大とし（すなわち、各ストッパ１６４が動かないように固定し）、集積ステージ１６２から紙幣の束を取り出すときには、付勢力調整部１６５ｑによる各ストッパ１６４の固定状態を解除して、各ストッパ１６４を自由に開閉できるようにしている。また、図９に示すような例では、整理一時保留部１６０において紙幣の集積不良等の異常が発生したときには、付勢力調整部１６５ｑによる各ストッパ１６４の固定状態を後述するように強制的に解除することができるようになっている。
【００４６】
図９（ａ）は、集積ステージ１６２が紙幣集積位置にあるときの状態を示し、図９（ｂ）は、集積ステージ１６２が紙幣取り出し位置にあるときの状態を示している。また、図９に示すような付勢力調整部１６５ｑの構成の説明において、図６および図７に示すような付勢力調整部１６５と同じ構成要素については同一の符号を付してその説明を省略する。
【００４７】
図９に示すように、付勢力調整部１６５ｑは第１の回転部材１６５ｂを有しており、この第１の回転部材１６５ｂは軸１６５ａにより軸支されるようになっているが、図６および図７の付勢力調整部１６５における第２の回転部材１６５ｃは、変形例に係る付勢力調整部１６５ｑに設けられていない。また、第１の回転部材１６５ｂの先端部分にはローラ１６５ｄが回転自在に設けられており、集積ステージ１６２には、当該集積ステージ１６２が紙幣集積位置にあるときにこのローラ１６５ｄが接触するような案内部材１６２ａが設けられている。すなわち、図９（ａ）に示すような、集積ステージ１６２が紙幣集積位置にあるような状態では、第１の回転部材１６５ｂの先端部分に設けられたローラ１６５ｄが集積ステージ１６２の案内部材１６２ａに当接することによりこの第１の回転部材１６５ｂが軸１６５ａを中心としてこれ以上図９（ａ）における反時計回りの方向に回転しないようになっている。
【００４８】
また、第１の回転部材１６５ｂにおけるストッパ１６４の軸１６４ａの近傍位置には棒状部材１６５ｅが設けられている。ここで、各ストッパ１６４を支持する軸１６４ａには略円板形状のカム部材１６４ｂが取り付けられており、このカム部材１６４ｂの外周面には引っ掛け部１６４ｃが形成されている。そして、図９（ａ）に示すような、集積ステージ１６２が紙幣集積位置にあるような状態では、第１の回転部材１６５ｂに設けられた棒状部材１６５ｅは、カム部材１６４ｂの引っ掛け部１６４ｃに引っ掛けられるようになっている。
【００４９】
このように、図９（ａ）に示すような、集積ステージ１６２が紙幣集積位置にあるときには、第１の回転部材１６５ｂの先端部分に設けられたローラ１６５ｄは集積ステージ１６２の案内部材１６２ａに当接した状態となり、また、第１の回転部材１６５ｂに設けられた棒状部材１６５ｅは、カム部材１６４ｂの引っ掛け部１６４ｃに引っ掛けられた状態となるため、集積ステージ１６２が紙幣集積位置にあるときには、各ストッパ１６４や軸１６４ａは図９（ａ）に示す状態から時計回りの方向に回転させることができない。すなわち、ローラ１６５ｄが案内部材１６２ａに当接していることにより軸１６５ａを中心として第１の回転部材１６５ｂをこれ以上図９（ａ）の反時計回りの方向に回転させることができないため、付勢力調整部１６５の棒状部材１６５ｅをカム部材１６４ｂの引っ掛け部１６４ｃから外すことができなくなり、このカム部材１６４ｂは棒状部材１６５ｅによって図９（ａ）における時計回りの方向に回転させることができなくなる。なお、整理一時保留部１６０において紙幣の集積不良等の異常が発生したときには、操作者が手動で集積ステージ１６２を紙幣取り出し位置まで押し下げて後述する図９（ｂ）の状態とすることによって、付勢力調整部１６５の棒状部材１６５ｅをカム部材１６４ｂの引っ掛け部１６４ｃから外すことができるようになり、このことにより各ストッパ１６４を強制的に図３における右方向に倒して開くことができるようになる。
【００５０】
一方、アーム部２１０により集積ステージ１６２上の紙幣の束を取り出す際には、集積ステージ１６２は紙幣集積位置から紙幣取り出し位置まで下降するが、図９（ｂ）に示すように、集積ステージ１６２が紙幣取り出し位置にあるときには、この集積ステージ１６２に設けられた案内部材１６２ａも下方に移動していることにより、第１の回転部材１６５ｂの先端部分に設けられたローラ１６５ｄは集積ステージ１６２の案内部材１６２ａの表面から外れるようになる。このため、軸１６５ａを中心として第１の回転部材１６５ｂを図９（ｂ）の反時計回りの方向に回転させることが可能となる。ここで、アーム部２１０により集積ステージ１６２上の紙幣の束を取り出す際に、アーム部２１０の上下一対のアームにより挟持された紙幣が各ストッパ１６４に当たることによりこれらのストッパ１６４が軸１６４ａを中心として図９（ｂ）における時計回りの方向に回転するようになる。この際に、軸１６５ａを中心として第１の回転部材１６５ｂを図９（ｂ）の反時計回りの方向に回転させることが可能となるため、付勢力調整部１６５の棒状部材１６５ｅをカム部材１６４ｂの引っ掛け部１６４ｃから外すことができるようになり、このカム部材１６４ｂを図９（ｂ）における時計回りの方向に回転させることができるようになる。このため、各ストッパ１６４や軸１６４ａを時計回りの方向に回転させて図９（ｂ）に示す状態とすることができるようになる。
【００５１】
また、各ストッパ１６４への付勢力を調整するための付勢力調整部として、図６乃至図９に示すような構成以外のものを用いてもよい。また、各ストッパ１６４への付勢力を集積ステージ１６２の位置に基づいて定めるような機構を、集積ステージ１６２と各ストッパ１６４との間に配置する必要はない。例えば、図示しない位置検出センサが集積ステージ１６２の位置を検出し、各ストッパ１６４への付勢力を設定するための付勢力設定機構が、位置検出センサにより検出された集積ステージ１６２の位置情報に基づいて、各ストッパ１６４への付勢力を調整するようになっていてもよい。
【００５２】
また、本発明では、各ストッパ１６４への付勢力が変動可能となっているものであれば、上述した態様以外の構成のものとしてもよい。例えば、本発明は、各ストッパ１６４への付勢力が集積ステージ１６２の位置に基づいて定まるような態様に限定されることはない。
【００５３】
また、本発明の紙葉類集積装置に集積される紙葉類は、必ずしも紙幣に限定されることはなく、紙幣以外のもの、例えば小切手や商品券等の様々な種類の紙葉類が集積部に集積されるようになっていてもよい。
【符号の説明】
【００５４】
１００  紙幣収納ユニット
１１０  紙幣投入部
１１２  紙幣繰出部
１１４  入金搬送部
１１６  入金識別部
１１８  表裏反転部
１２０  入金リジェクト部
１３０  一括一時保留部
１３２  金種別一時保留部
１４０  一括紙幣収納庫
１４２  金種別紙幣収納庫
１４４  紙幣繰出部
１４６  下部搬送部
１４８  出金識別部
１５０  出金搬送部
１５０ａ  案内部材
１５２  バラ紙幣投出部
１５４  出金リジェクト部
１６０  整理一時保留部
１６２  集積ステージ
１６２ａ  案内部材
１６３  紙幣揃え部
１６３ａ  アーム
１６３ｂ  弾性部材
１６４  ストッパ
１６４ａ  軸
１６４ｂ  カム部材
１６４ｃ  引っ掛け部
１６４ｄ  板バネ受け部
１６４ｅ  バネ掛け部
１６５、１６５ｐ、１６５ｑ  付勢力調整部
１６５ａ  軸
１６５ｂ  第１の回転部材
１６５ｃ  第２の回転部材
１６５ｄ  ローラ
１６５ｅ  棒状部材
１６５ｆ  板バネ
１６６  札叩き用羽根車
１６６ａ  軸
１６７  紙幣検知センサ
１６８  第１の案内部材
１６９  第２の案内部材
１７０  分岐部材
１８０  紙幣検出センサ
１８２  紙幣厚さ検知センサ
１８４  半券検知センサ
２００  紙幣帯封ユニット
２１０  アーム部
２１２  帯封部
２１４  テープセット部
２１６  帯封紙幣搬送部
２１８  帯封紙幣投出部
２２０  帯封紙幣収納出金部
２２２  帯封紙幣判別部
２２４  リフト部
２３０  帯封紙幣収納カセット
２３２  カセット駆動部
【図１】
2014164349.tif 000003
【図２】
2014164349.tif 000004
【図３】
2014164349.tif 000005
【図４】
2014164349.tif 000006
【図５】
2014164349.tif 000007
【図６】
2014164349.tif 000008
【図７】
2014164349.tif 000009
【図８】
2014164349.tif 000010
【図９】
2014164349.tif 000011
【図１０】
2014164349.tif 000012